(57)【特許請求の範囲】
【請求項１】
支柱と、前記支柱の下部に固定された足部と、前記支柱の上端に固定された座部とを備え、使用者が前記足部を地面等の平坦部に置いて前記座部に座ったときに前記支柱が全体として傾くことで下肢に筋肉群の等尺性収縮のある継続した安定姿勢となって座ることを可能にする動的振子スツールにおいて、
前記足部は自由端で球形状であり、
前記支柱は、前記足部に固定された下部と自由端の上部とを有する伸縮自在の支柱であり、
前記足部と前記支柱と前記座部とは一体的に結合され、全体として自由状態であり、使用時において前記足部が直接、前記平坦部に一点支持され、
前記支柱の上部には、前記安定姿勢において使用者の肩間のラインと骨盤間のラインが平行となり得るよう３自由度を有する連結部が設けられ、前記連結部を介して前記上部が前記座部の下側に固定されていることを特徴とする動的振子スツール。
【請求項２】
前記球形状の足部は滑り止め材料から作られていることを特徴とする、請求項１に記載の動的振子スツール。
【請求項３】
前記球形状の足部はエラストマーから作られていることを特徴とする、請求項２に記載の動的振子スツール。
【請求項４】
前記球形状の足部は、前記支柱の前記下部の下端に固定されたねじ棒と協働するねじ山が内側につけられ、放射状に延伸するスリーブを含む、請求項１から３の何れかに記載の動的振子スツール。
【請求項５】
前記連結部は玉継手を含む、請求項１から４の何れかに記載の動的振子スツール。
【請求項６】
前記連結部は自在継手（カルダンジョイント）を含む、請求項１から４の何れかに記載の動的振子スツール。
【請求項７】
前記支柱の前記下部の上端はクイックリリースクランプを含む、請求項１から６の何れかに記載の動的振子スツール。
【請求項８】
前記座部は平行六面体形状を有する、請求項１から７の何れかに記載の動的振子スツール。
【発明の詳細な説明】
【技術分野】
【０００１】
本発明は、座った姿勢で、下肢および腹部回りの筋肉群の等尺性収縮を可能にする動的振子スツールに関する。
【背景技術】
【０００２】
スツールのような腰掛または類似物の分野で、使用者の快適さを保証するために解剖学的なストレスを防止する理想的な座る姿勢で体が支持されるように、事務用椅子がしばしば設計されることはよく知られている。これらの椅子は、クッションおよびシートバックを有するフレームから作られる。シートバックは、腰掛の快適さを改善するために、リターンスプリング装置を有するフレームに連結されてもよい。
【０００３】
そのような事務用椅子は、脚および背中の筋肉を動かさないという欠点を有する。このことは、背骨回りの筋肉の変質、および、悪い姿勢による椎間板の摩耗のような脊椎の損傷の危険を使用者が冒すことを意味する。
【０００４】
良い姿勢のために、例えば、「Pezzi」ボールを使用することがよく知られている。使用者は、Pezziボール上に座り、脚および背中の筋肉を使用できる。
【０００５】
しかし、Pezziボールは特に扱いにくい、即ち、それらは特にオフィスでの使用に不適当である。
【０００６】
脚の筋肉および腹部の筋肉を動かすための、自転車、レグプレス、ローイングマシン等の多くの体操器具が知られている。しかし、オフィスで使用できないことに加えて、これらの器具は、移動を要求するという欠点を有する。このことは、使用者は移動性を欠くため、または、空間的な要求のため、それらの使用を制限する。
【０００７】
脚の筋肉および腹部の筋肉の等尺性収縮を可能にする電気刺激器具のようなものが知られている。しかし、特に、適当な所に電極を置くために衣服を脱がなければならないので、それらは特にオフィスで使用しにくい。
【０００８】
これら全ての欠点を克服するために多くの腰掛およびスツールが設計されている。それらは、特に、独国特許出願DE2314717およびDE19533558を含む。
【０００９】
独国特許出願DE2314717には、ばねを有する２つの玉継手を備えるスツールが記載されている。使用者は、不安定なバランスの状態にあり、脚による動作を伴う横ずれにより通常の位置に戻ることができる。
【００１０】
独国特許出願DE19533558には、土台表面が上向きの凹曲面であることで傾斜動作を可能にする足部と、足部に固定された支柱と、前記支柱の上端において支点に取付けられた座部とを有する能動的な動的スツールが記載されている。足部の湾曲した土台表面は、地面に直接置かれ、少なくとも一部区域で球形状曲面を有する。座部は、支点に取付けられ、どんな方向にでも傾くことができる。前記支点は、土台表面の曲率中心に位置するか、または、下限が曲率中心に位置する高さ値の範囲内に調整され得る。座部は、弾性部材から作られる接合要素に取付けられる。弾性部材は、ばねとして機能し、支柱の上端に固定されたストラットに位置する。
【００１１】
これら全ての器具は、扱いにくく、特に下肢の筋肉群の等尺性収縮が可能でないという共通の欠点を有する。
【発明の概要】
【００１２】
本発明の目的の１つは、座った姿勢で、下肢および腹部回りの筋肉群の等尺性収縮を可能にする簡素で低価な設計を有する動的振子スツールを提供することで、これらの欠点を克服することにある。
【００１３】
この目的のために、本発明によれば、足部と、前記足部に固定された支柱と、前記支柱の上端に固定された座部とを備え、使用者が座部に座るとき、支柱が水平に対して３０°から９０°の間の角度をなすことで、座った姿勢で下肢および腹部回りの筋肉群の等尺性収縮を可能にするように、支柱は、直径２０ｃｍ以下の球形状の足部に固定された下部と、上部とを有する伸縮自在の支柱から作られ、前記上部の自由端は、３自由度の連結部を有し、座部の下面に固定されていることを特徴とする、動的振子スツールが提供される。
【００１４】
先行技術の器具と違って、本発明の器具が、とても小型であり、従来の事務用椅子の代わりに周期的な使用または連続的な使用を可能にし、座った姿勢で下肢および腹部回りの筋肉群の等尺性収縮を提供することは明らかである。なお、この観点から、支柱と水平との間の角度を小さくするほど、下肢の筋肉群による活動が強くなる。
【００１５】
球形状の足部は、滑り止め材料、好ましくは、エラストマー材料から作られていることが有益である。
【００１６】
加えて、球形状の足部は、支柱の下部の下端に固定されたねじ棒と協働するねじ山が内側につけられ、放射状に延伸するスリーブを含む。
【００１７】
前記連結部は玉継手または自在継手（カルダンジョイント）から作られる。
【００１８】
加えて、支柱の下部の上端はクイックリリースクランプを含む。
【００１９】
なお、前記座部はほぼ平行六面体形状を有する。
【００２０】
他の利点および特徴は、付加された図面に関連し、本発明の動的振子スツールの、限定しない例として示された、下記の１つの実施形態から明らかになる。
【図面の簡単な説明】
【００２１】
【図１】本発明の動的振子スツールの分解斜視図である。
【図２】本発明の動的振子スツールの斜視図である。
【図３】本発明の動的振子スツールの縦断面図である。
【図４】本発明の動的振子スツールに座る使用者の斜視図である。
【図５】本発明の動的振子スツールの実施形態の分解図である。
【図６】図５のような本発明の動的振子スツールの実施形態の縦断面図である。
【発明を実施するための形態】
【００２２】
以下では、同一の符号は同一の部材を示す。また、種々の図、特に、縦断面図は、必ずしも一定の縮小比ではない。
【００２３】
図１から３に関連して、本発明に係る動的振子スツールは、足部１と、前記足部１に固定された支柱２と、前記支柱２の上端に固定された座部３とから作られる。前記支柱２は、足部１に固定された所謂下部２ａと、所謂上部２ｂとを有する伸縮自在（はめ込み式）の支柱から作られる。この特別の実施形態において、伸縮自在の支柱２は、円形断面を有する２つの管から作られる。第１の管は、前記管から同軸状に延伸するねじ棒４が下端に設けられ、クイックリリースクランプ５が上端に設けられた下部２ａである。第２の管は、上部２ｂであり、下部の管の内径より僅かに小さい外径を有する。そのため、上部２ｂは、以下に詳述するように、使用者の形態、および／または、下肢の筋活動の所望の困難さに応じて支柱の長さを調節するために、下部２ａの中にスライドすることができる。よく知られている方法では、クイックリリースクランプ５が、実質的に、隙間を有する環状部品からなる。この部品の開放端はタイロッドにより連結され、タイロッドはその張力下で締付および牽引手段と協働する端部を有する。前記締付および牽引手段は、管の軸に平行な偏心した軸の周りに回転自在に取付けられた円筒状頭部（シリンダヘッド）を有するハンドルから作られる。なお、下部２ａおよび上部２ｂの管は、本発明のスツールができるだけ軽くなるように、アルミニウム合金、または、当業者によく知られた他の任意の軽金属合金から作られることが有益である。
【００２４】
伸縮自在の支柱２が、本発明の範囲を超えないで、当業者によく知られた他のどんな伸縮自在の支柱に置き換えられてもよいことは明らかである。
【００２５】
さらに、前記足部１は、球形状であり、本発明のスツールがタイル張りのような滑らかな場所でスリップしないように、滑り止め材料、好ましくは、エラストマー材料で作られる。前記エラストマー材料は、例えば、天然ゴム、合成ポリイソプレン、ポリブタジエン、または、スチレンブタジエン共重合体のような、よく知られたどんな天然および／または合成エラストマーでもよい。前記エラストマーは、前記足部１が押しつぶされないように、好ましくは、４０以上のショア硬度値を有する。さらに、球形状の足部１は、内側にねじ山７がつけられ、放射状に延伸するスリーブ（軸ざや）６を含む。ねじ山７は、支柱２の下部２ａの下端に固定されたねじ棒４と協働する。好ましくは、前記球形状の足部１は、スツールの重量を制限するとともに、より大きい角度可変性を可能にするために、２０ｃｍ以下の直径を有する。
【００２６】
加えて、座部３はほぼ平行六面体形状を有し、その広さは平均的な大きさの人の骨盤の広さに実質的に等しい。前記座部３の上部は快適さを改善するための弾性層８を含む。前記座部３は、３自由度を有する連結部９で支柱２の上部２ｂの上端に連結されている。本実施形態では、前記連結部は、座部３の下面の中心部分に固定されたジョイントシート１０を有する玉継手（ボールアンドソケットジョイント、ボールジョイント）である。ジョイントシート１０は、支柱２の上部２ｂの自由端である上端に固定された玉継手１１を受取る。有利には、連結部９のジョイントシート１０は、前記ジョイントシート１０に固定され、前記座部３内のねじ山１３と協働するねじ棒１２で座部３に固定される。このようにして、特に使用者の好みに応じて素早く座部３を交換できる。
【００２７】
玉継手が、本発明の範囲を超えないで、自在継手（カルダンジョイント）または類似物のような、当業者によく知られた他のどんな継手で置き換えられてもよいことは明らかである。
【００２８】
さらに、座部３が、本発明の範囲を超えないで、どんな形状を有してもよい、および／または、側方または前方ハンドルを有してもよいことは明らかである。
【００２９】
なお、本発明のスツールは、本発明のスツールの使いやすさを改善するために、支柱２の下部２ａおよび／または上部２ｂに挿入されたガスピストンまたはバネのような制振システムを含むこともできる。
【００３０】
次に、図４に関連して、本発明のスツールがどのように機能するか説明する。
【００３１】
使用者は、支柱２の長さを事前に調節し、そして、地面に足部１を置き、自身の臀部の下に座部３を置く。このように、支柱２は水平に対して３０°から９０°の間の角度をなし、前記角度は使用者の大きさおよび前記支柱２の長さの選択に応じて変化する。なお、支柱と水平との間の角度が小さいほど、下肢の筋活動が強くなる。この使用姿勢で、本発明のスツールは、腓腹筋、坐骨膝腱、四頭筋、臀筋、腰および背側の筋肉の等尺性収縮を引き起こす。等尺性収縮は、スツールの不安定性を補償するために、使用者が自己受容および平衡化を行うことから生じる。実際、支柱２上の座部３の連結部および球形状の足部１のただ１つの支点が、安定した姿勢を使用者に要求する側方、前方および後方の傾きを提供する。安定した姿勢では、肩間のラインは骨盤間のラインに平行であり、足の支えは、下肢の筋肉の等尺性収縮、および、腰部および腹部の筋肉の自己受容および収縮により補償される不安定な臀部の支えをもたらす。
【００３２】
図５，６に関連して、本発明の動的振子スツールの実施形態に従って、前述のように、前記スツールは、足部１と、前記足部に固定された支柱２と、前記支柱２の上端に固定された座部３とから作られる。前記支柱２は、足部１に固定された所謂下部２ａと、所謂上部２ｂとを有する伸縮自在の支柱からなる。伸縮自在の支柱２は、円形断面を有する２つの管から作られる。第１の管は、前記管から同軸状に延伸するねじ棒４が下端に設けられ、クイックリリースクランプ５が上端に設けられた下部２ａである。第２の管は、上部２ｂを形成し、下部の管の内径より僅かに小さい外径を有する。そのため、上部２ｂは、使用者の形態、および／または、下肢の筋活動の所望の困難さに応じて支柱の長さを調節するために、下部２ａの中にスライドすることができる。よく知られている方法では、クイックリリースクランプ５が、実質的に、隙間を有する環状部品からなる。この部品の開放端はタイロッドにより連結され、タイロッドはその張力下で締付および牽引手段と協働する端部を有する。前記締付および牽引手段は、管の軸に平行な偏心した軸の周りに回転自在に取付けられた円筒状頭部を有するハンドルから作られる。
【００３３】
さらに、前記足部１は、球形状であり、本発明のスツールがタイル張りのような滑らかな場所でスリップしないように、滑り止め材料、好ましくは、エラストマー材料で作られる。前記エラストマー材料は、例えば、天然ゴム、合成ポリイソプレン、ポリブタジエン、または、スチレンブタジエン共重合体のような、よく知られたどんな天然および／または合成エラストマーでもよい。前記エラストマーは、前記足部１が押しつぶされないように、好ましくは、４０以上のショア硬度値を有する。さらに、球形状の足部１は、内側にねじ山７がつけられ、放射状に延伸するスリーブ６を含む。ねじ山７は、支柱２の下部２ａの下端に固定されたねじ棒４と協働する。好ましくは、前記球形状の足部１は、スツールの重量を制限するとともに、より大きい角度可変性を可能にするために、２０ｃｍ以下の直径を有する。
【００３４】
座部３は湾曲した人間工学的形状を有し、その広さは平均体重の人の骨盤の広さに実質的に等しい。前記座部３は、３自由度を有する連結部９により、支柱２の上部２ｂの上端に連結されている。本実施形態では、前記連結部は、座部３の下側の中心部分に固定されたジョイントシート１０を有する玉継手からなる。ジョイントシート１０は、支柱２の上部２ｂの自由端である上端に固定された玉継手１１を受取る。有利には、連結部９のジョイントシート１０は、前記ジョイントシート１０に固定され、前記座部３内のねじ山１３と協働するねじ棒１２で座部３に固定される。このようにして、特に使用者の好みに応じて素早く座部３を交換できる。
【００３５】
本実施形態は、特に、支柱２のスタビライザーコーン１４により前記の実施形態から区別される。スタビライザーコーン１４は実質的に円錐台形状の一部品で作られる。前記一部品はプラスティックまたは類似の材料から作られる。前記一部品は、滑り止めの環状エラストマーシール１５を含むより大きい底面の周縁を有する。前記より大きい底面はスタビライザーコーン１４の下部である。前記一部品は、内側にねじ山１７がつけられた中央孔１６を含むより小さい底面を有する。前記より小さい底面は上端である。ねじ山１７は支柱２の下部２ａの下端でねじ山１８と協働できる。このように、支柱２の下部２ａの下端に前記スタビライザーコーン１４を回して取付けることで、使用者は、前記スタビライザーコーン１４が球形状の足部１を覆うように、前記スタビライザーコーン１４を配置できる。このため、滑り止めの環状エラストマーシール１５は地面に接し、球形状の足部１はもはや前記地面に接触しない。これにより、スツールの安定性が保証される。特にスツールが使用されないとき、そのような位置が採用されてもよい。スタビライザーコーン１４をさらに回すと、滑り止めの環状エラストマーシールがもはや地面と接触せず、球形状の足部１が十分に被覆されず、スツールが再び不安定になるまで、スタビライザーコーン１４は支柱２に沿って上方にスライドする。
【００３６】
さらに、スツールは、第２の所謂座部３のロッキングコーン１９を含む。このロッキングコーン１９は、プラスティックまたは類似の材料から作られる実質的に円錐台形状の部品からなる。この部品は、座部３の下側に接することができる、より大きい底面の周縁を有する。前記より大きい底面はロッキングコーン１９の上部である。この部品はより小さい底面を有する。前記より小さい底面は、下端であり、内側にねじ山２１がつけられた中央孔２０を含む。ねじ山２１は支柱２の上部２ｂの上端でねじ山２２と協働できる。このように、前記ロッキングコーン１９を多少とも回すことで、コーン１９のより大きい底面の周縁が座部３の下側に接するとき、使用者は支柱２に対して相対的な座部３のどんな回転も防止できる。または、それと反対に、コーン１９のより大きい底面が前記座部３の下側に接しないほどコーン１９が下げられるとき、使用者は支柱２に対して相対的な座部３の回転を行うことができる。
【００３７】
なお、支柱２および／または座部３は、Bluetooth（登録商標）、WiFiまたは類似の送信装置のような無線通信手段と接続された、位置センサ、例えば、加速度計、または、当業者によく知られた他のどんな位置センサを含んでもよい。このようにして、支柱２および／または座部３の位置は、予めセットされた理想的な位置に関連して、支柱２および／または座部３の実際の位置を表示できるコンピュータプログラムを含む、スマートフォン型のセルラーフォンおよび／またはタブレットコンピュータおよび／またはＰＣ型コンピュータに送信されてもよい。
【図１】
0006387083.tif 000002
【図２】
0006387083.tif 000003
【図３】
0006387083.tif 000004
【図４】
0006387083.tif 000005
【図５】
0006387083.tif 000006
【図６】
0006387083.tif 000007